(57)【要約】【課題】元画像から特定の色を消去した消去画像を画像形成する際に、一々、設定変更等の操作を行うユーザの手間を必要とせずに元画像も簡便に画像形成することができるようにすること。【解決手段】画像形成装置が、元画像から予め定められた色の画素を消去する消去手段と、記録紙への画像形成を行う画像形成手段と、前記消去手段により元画像から予め定められた色の画素が消去された消去画像を前記画像形成手段に画像形成させる（ステップＳ０７）とともに前記元画像も前記画像形成手段に画像形成させる（ステップＳ０８）制御手段とを備える。【選択図】図５
2008034922.tif 000002
【特許請求の範囲】
【請求項１】
元画像から予め定められた色の画素を消去する消去手段と、
記録紙への画像形成を行う画像形成手段と、
前記消去手段により元画像から予め定められた色の画素が消去された消去画像を前記画像形成手段に画像形成させるとともに前記元画像も前記画像形成手段に画像形成させる制御手段とを備える画像形成装置。
【請求項２】
前記消去画像と前記元画像とのうちで前記制御手段が先に前記画像形成手段に画像形成させる画像が前記画像形成手段により画像形成される間、後に前記制御手段が前記画像形成手段に画像形成させる画像を保持する画像保持手段を備え、
前記制御手段は、前記消去画像と前記元画像とのうちで後に前記画像形成手段に画像形成させる画像を、当該画像保持手段より読み出して、前記画像形成手段に画像形成させる請求項１記載の画像形成装置。
【請求項３】
前記元画像の画像形成を行う記録紙の枚数と、前記消去画像の画像形成を行う記録紙の枚数とを指示するユーザ入力を入力する枚数指示入力手段を更に備え、
前記制御手段は、前記ユーザ入力により指示された枚数ずつ、それぞれ、記録紙へと前記消去画像および前記元画像を前記画像形成手段に画像形成させる請求項１または２記載の画像形成装置。
【請求項４】
前記消去手段が前記元画像より消去する画素の色は２色以上であり、
当該消去手段は、２色以上の前記色のうち全ての色の画素を前記元画像から消去した完全消去画像と、２色以上の前記色のうち一部の色の画素のみを前記元画像から消去した部分消去画像とを生成し、
前記制御手段は、消去画像として前記完全消去画像および前記部分消去画像との両者を前記画像形成手段に画像形成させる請求項１〜３のいずれかに記載の画像形成装置。
【請求項５】
前記完全消去画像を生成するために前記消去手段が前記元画像から消去する画素の色と、前記部分消去画像を生成するために前記消去手段が前記元画像から消去する画素の色とを指示するユーザ入力を入力する色指示入力手段を更に備え、
前記消去手段は、当該ユーザ入力に応じて前記元画像より前記部分消去画像および前記完全消去画像を生成する請求項４記載の画像形成装置。
【発明の詳細な説明】
【技術分野】
【０００１】
本発明は、画像から予め定められた色の画素を消去する消去手段を備え、前記消去手段により予め定められた色の画素が消去された消去画像の画像形成を行う画像形成装置に関する。
【背景技術】
【０００２】
従来より、印刷装置、複写機、ファックス、複合機等の画像形成装置が用いられている。
【０００３】
特許文献１においては、マーカー等で色線が記入された原稿を白黒で複写した場合、マーカーの色線と、もともと印刷されていた文字のうち色線に隣接するものとが同じ程度の濃度となり、両者が混じって、原稿に含まれる情報の一部が欠損してしまう恐れがある点に鑑みて、原稿画像の特定の色を消去して、特定の色が消去された後の消去画像を記録紙に画像形成することができるようにしている。
【特許文献１】特開平５−１３７０１０号公報
【発明の開示】
【発明が解決しようとする課題】
【０００４】
しかしながら、従来のかかる特許文献１記載の技術によっては、たとえば問いが黒色で印刷されると共に、その問いに対する答えが赤色で印刷された学習問題集などがコピーされる場合において、回答の赤色の記載を消去した、いわゆる虫食い画像を印刷させるとき、かかる虫食い画像のほかに赤色を消去しない元画像も印刷させることが多く、このように元画像も印刷させたい場合には、消去色の設定を一々、変更させて繰り返し印刷を行わせなければならずに、手間となることがあった。
【０００５】
本発明は、かかる点に鑑みてなされたものであり、元画像から特定の色を消去した消去画像を画像形成する際に、一々、設定変更等の操作を行うユーザの手間を必要とせずに元画像も簡便に画像形成することができるようにすることを目的とする。
【課題を解決するための手段】
【０００６】
請求項１記載の発明は、
元画像から予め定められた色の画素を消去する消去手段と、
記録紙への画像形成を行う画像形成手段と、
前記消去手段により元画像から予め定められた色の画素が消去された消去画像を前記画像形成手段に画像形成させるとともに前記元画像も前記画像形成手段に画像形成させる制御手段とを備える画像形成装置である。
【０００７】
この構成であれば、予め定められた色の画素が元画像から消去手段により消去される一方、記録紙への画像形成が画像形成手段により行われる。そして、前記消去手段により元画像から予め定められた色の画素が消去された消去画像が前記画像形成手段に画像形成されるとともに前記元画像も前記画像形成手段により画像形成されるように制御手段によってされる。
【０００８】
したがって、設定変更等の操作を行うユーザの煩雑な手間を必要とせずに、元画像から特定の色を消去した消去画像と、前記元画像とを画像形成させることができる。
【０００９】
請求項２記載の発明は、
前記消去画像と前記元画像とのうちで前記制御手段が先に前記画像形成手段に画像形成させる画像が前記画像形成手段により画像形成される間、後に前記制御手段が前記画像形成手段に画像形成させる画像を保持する画像保持手段を備え、
前記制御手段は、前記消去画像と前記元画像とのうちで後に前記画像形成手段に画像形成させる画像を、当該画像保持手段より読み出して、前記画像形成手段に画像形成させる請求項１記載の画像形成装置である。
【００１０】
この構成であれば、前記消去画像と前記元画像とのうちで前記制御手段が先に前記画像形成手段に画像形成させる画像が前記画像形成手段により画像形成される間、後に前記制御手段が前記画像形成手段に画像形成させる画像が画像保持手段に保持される。そして、前記消去画像と前記元画像とのうちで後に前記画像形成手段に画像形成される画像は、当該画像保持手段より読み出されて、前記画像形成手段での画像形成がされる。
【００１１】
なお、前記消去画像と前記元画像とのうちで前記制御手段が先に前記画像形成手段に画像形成させる画像が前記画像形成手段により画像形成される間に、前記画像保持手段に保持された画像に対して画像処理が施されるものとしてもよい。こうすれば、処理が並列化させて処理効率を向上させることができる。この画像処理は、保持された画像を記録紙に形成するために必要な画像処理であるものとしてもよい。
【００１２】
請求項３記載の発明は、
前記元画像の画像形成を行う記録紙の枚数と、前記消去画像の画像形成を行う記録紙の枚数とを指示するユーザ入力を入力する枚数指示入力手段を更に備え、
前記制御手段は、前記ユーザ入力により指示された枚数ずつ、それぞれ、記録紙へと前記消去画像および前記元画像を前記画像形成手段に画像形成させる請求項１または２記載の画像形成装置である。
【００１３】
この構成であれば、前記元画像の画像形成を行う記録紙の枚数と、前記消去画像の画像形成を行う記録紙の枚数とを指示するユーザ入力が枚数指示入力手段により入力され、前記ユーザ入力により指示された枚数ずつ、それぞれ、記録紙へと前記消去画像および前記元画像が前記画像形成手段により画像形成されるように、前記制御手段によってされる。
【００１４】
したがって、それぞれ所望の枚数ずつ前記消去画像と前記元画像との画像形成を行わせたい場合でも、大きな手間を必要とせずに、ユーザは、ユーザ入力により枚数を指定して、前記消去画像と前記元画像との画像形成を所望の枚数ずつ画像形成装置に簡単に行わせることができる。
【００１５】
請求項４記載の発明は、
前記消去手段が前記元画像より消去する画素の色は２色以上であり、
当該消去手段は、２色以上の前記色のうち全ての色の画素を前記元画像から消去した完全消去画像と、２色以上の前記色のうち一部の色の画素のみを前記元画像から消去した部分消去画像とを生成し、
前記制御手段は、消去画像として前記完全消去画像および前記部分消去画像との両者を前記画像形成手段に画像形成させる請求項１〜３のいずれかに記載の画像形成装置である。
【００１６】
この構成であれば、前記消去手段が前記元画像より消去する画素の色は２色以上であり、２色以上の前記色のうち全ての色の画素を前記元画像から消去した完全消去画像と、２色以上の前記色のうち一部の色の画素のみを前記元画像から消去した部分消去画像とが前記消去手段により生成され、前記制御手段により、消去画像として前記完全消去画像および前記部分消去画像との両者が前記画像形成手段で画像形成されるようにされる。
【００１７】
したがって、上述の完全消去画像および部分消去画像との両者をユーザが画像形成させる場合においても、ユーザに大きな手間が生じないようにさせることができる。
【００１８】
請求項５記載の発明は、
前記完全消去画像を生成するために前記消去手段が前記元画像から消去する画素の色と、前記部分消去画像を生成するために前記消去手段が前記元画像から消去する画素の色とを指示するユーザ入力を入力する色指示入力手段を更に備え、
前記消去手段は、当該ユーザ入力に応じて前記元画像より前記部分消去画像および前記完全消去画像を生成する請求項４記載の画像形成装置である。
【００１９】
この構成であれば、前記完全消去画像を生成するために前記消去手段が前記元画像から消去する画素の色と、前記部分消去画像を生成するために前記消去手段が前記元画像から消去する画素の色とを指示するユーザ入力が色指示入力手段により入力され、当該ユーザ入力に応じて前記元画像より前記部分消去画像および前記完全消去画像が前記消去手段によって生成される。
【００２０】
したがって、それぞれ所望の色を消去した完全消去画像と部分消去画像との画像形成を行わせることを、大きな手間を必要とせずに、ユーザは、ユーザ入力により色を指定して簡便に行わせることができる。
【００２１】
なお、本発明の画像形成装置は、消去画像の画像形成を行う専用機であってもよく、制御手段は、前記消去画像の画像形成を前記画像形成手段に行わせる場合にのみ、前記元画像の画像形成を前記画像形成手段に行わせるものとしてもよい。こうすれば、画像形成装置の構成を簡潔にすることができ、また、ユーザにとって容易に操作することができる画像形成装置を提供することができる。
【発明の効果】
【００２２】
本発明によれば、設定変更等の操作を行うユーザの煩雑な手間を必要とせずに、元画像から特定の色を消去した消去画像と、前記元画像とを画像形成装置に画像形成させることができる。
【発明を実施するための最良の形態】
【００２３】
以下、本発明の一実施形態に係る複写機１について図面を参照して説明する。
【００２４】
図１は、本発明の一実施形態に係る複写機１を示す図である。複写機１は、特許請求の範囲に記載した「画像形成装置」の一例である。
【００２５】
複写機１は、複写を行う原稿の画像を読み取る画像読取部１ａと、記録紙Ｐが積載される給紙部１ｂと、給紙部１ｂから延びる記録紙Ｐの搬送経路１ｔと、搬送経路１ｔ上に設けられて、搬送される記録紙Ｐに対して上述の画像読取部１ａにより読み取られた画像を形成させる画像形成部１ｃと、画像形成部１ｃよりも搬送経路１ｔにおいて下流側に設けられていて、記録紙Ｐに対して、形成された画像の定着処理を行う定着装置１ｄと、ユーザとの対話するために設けられた操作部１ｉと、以上説明したような複写機１の各構成の動作制御を行う制御装置１００とを備える。
【００２６】
図２は、制御装置１００の構成を示す図である。制御装置１００は、ＪＯＢメモリ２００と、制御部３００と、プリンタエンジン部３９０とを備える。
【００２７】
制御部３００は、ＣＰＵ、ＲＯＭ、ＲＡＭ等を備える情報処理装置である。
【００２８】
制御部３００は、操作部１ｉ（図１参照）を通じてユーザに情報表示を行うと共に、この操作部１ｉよりユーザ入力を取得する。また、制御部３００は、画像読取部１ａの動作を制御して、画像読取部１ａで読み取られる原稿画像を取得する。そして、制御部３００は、画像読取部１ａで読み取られた原稿画像の画像データと、操作部１ｉより取得されたユーザ入力より特定されるジョブ情報とを一体的に構成した印刷ジョブデータを生成して、これをＪＯＢメモリ２００へと記憶させる。そして、制御部３００は、ＪＯＢメモリに格納されているこの印刷ジョブデータに基づいて、プリンタエンジン部３９０へと画像データを転送したり、制御信号を送信したりして、プリンタエンジン部３９０に給紙部１ｂや搬送経路１ｔ、画像形成部１ｃ、定着装置１ｄなどを動作制御させて、画像読取部１ａにて読み取られてＪＯＢメモリ２００に記憶されていた画像の画像形成を実行させる。
【００２９】
ＪＯＢメモリ２００は、印刷ジョブデータを記憶する。
【００３０】
プリンタエンジン部３９０は、給紙部１ｂや搬送経路１ｔ、画像形成部１ｃ、定着装置１ｄなどより構成される画像形成機構を制御する。
【００３１】
図３は、図２に示した制御部３００の詳細な構成を示す図である。
【００３２】
制御部３００は、バスＢに対して、ＣＰＵ３１０、システムメモリ３２０、画像メモリ３３０、画像退避部３４０などが接続されてなる。
【００３３】
システムメモリ３２０は、ＣＰＵ３１０が作業用メモリとして利用するメモリである。ＣＰＵ３１０は、このシステムメモリ３２０を作業用メモリとして利用して、情報処理機能を奏する。また、システムメモリ３２０には、ＣＰＵ３１０が実行するソフトウェアが記憶されており、このソフトウェアがバスＢを介してＣＰＵ３１０に転送されて、これをＣＰＵ３１０が実行することにより、ＣＰＵ３１０に各種機能が実現される。
【００３４】
画像メモリ３３０は、ＣＰＵ３１０により、システムバスＢを介してＪＯＢメモリ２００（図２）より、画像データが格納されるメモリである。
【００３５】
ＣＰＵ３１０は、中央処理装置（Ｃｅｎｔｒａｌ  Ｐｏｒｃｅｓｓｉｎｇ  Ｕｎｉｔ）であり、バスＢを介して、ＪＯＢメモリ２００（図２）より印刷対象の画像の画像データを取得してこの画像メモリ３３０に記憶させるとともに、バスＢを介して、記憶された画像データをプリンタエンジン部３９０へと送信して、その画像データが表す画像の画像形成をプリンタエンジン部３９０により実行させる。
【００３６】
図４は、虫食い画像を生成する虫食い画像生成処理を説明する説明図である。
【００３７】
ＣＰＵ３１０は、図４を用いて説明する虫食い画像生成処理を行って、画像メモリ３３０に記憶された画像データから特定の色の画素を消去して（背景である白色の画素に変えて）、画像退避部３４０（図３）へと、消去後の画像（以下、虫食い画像と呼ぶ）を格納する。
【００３８】
画像退避部３４０は、虫食い画像を記憶させるメモリである。なお、画像退避部３４０は、画像メモリ３３０と一体的に構成してもよい。また、画像退避部３４０は、虫食い画像を記憶させるメモリと、上述の虫食い画像生成処理を行う専用のＣＰＵとを備えるものとしてもよい。そして、ＣＰＵ３１０ではなく、この画像退避部３４０に含まれるＣＰＵが、画像メモリ３３０に記憶された画像データから特定の色の画素を消去して画像退避部３４０（図３）の画像メモリへと虫食い画像を格納するものとしてもよい。
【００３９】
図４において、左上に示した画像４００は、画像読取部１ａ（図１）において読み込まれた原稿の画像が、ＪＯＢメモリ２００より制御部３００へとＣＰＵ３１０により入力され、画像メモリ３３０へと記憶されたものである（図２参照）。
【００４０】
虫食い画像生成処理の前後で、画像メモリ３３０に記憶されたこの読込画像４００は変化されず、図４の右側上段に示すように、処理が終了した後に画像メモリ３３０に記憶されている画像４４０も同じ画像のままである。
【００４１】
ＣＰＵ３１０は、虫食い画像生成処理により、読込画像４００に基づいて、図４の右側下段に示す虫食い画像４２０を、画像退避部３４０の記憶内容上に形成する。
【００４２】
図４左側上段に示した読込画像４００には、黒色で印刷された部分４０１と、赤色で印刷された部分４０２とがあり、黒色の部分４０１は、問題集の画像であるこの読込画像４００における地の文である一方で、赤色の部分４０２は、重要なキーワードや要点となる言葉などの、問題集の読者が回答として答えるべき言葉を記載した回答部分である。ＣＰＵ３１０は、虫食い画像４２０として、画像退避部３４０の記憶内容上に、読込画像４００からこの赤色部分４０２を消去した画像４２０を形成させる。
【００４３】
この虫食い画像４２０では、読込画像４００における上述の赤色で記載された回答部分４０２が、読込画像４００の背景色である白色で塗り潰されて、白色の空欄部分４２２となっている。他方、読込画像４００において黒色で記載された部分は、同じく黒い色の部分４２１として虫食い画像４２０において残っている。
【００４４】
この点で、虫食い画像生成処理が行われた後における画像メモリ３３０の記憶内容内に残されている読込画像４４０（図４右側上段）とは異なるものとなり、この読込画像４４０では、図４左側上段の読込画像４００と同じく、赤色部分４４２が残っている。
【００４５】
なお、制御部３００は、特許請求の範囲記載の「制御手段」、「消去手段」の一例であり、プリンタエンジン部３９０、および、画像形成部１ｃ等から構成される画像形成機構は「画像形成手段」の一例であり、画像退避部３４０（および画像メモリ３３０）は「画像保持手段」の一例である。また、操作パネル１ｉおよび制御部３００は「枚数指示入力手段」および「色指示入力手段」の一例を構成する。
【００４６】
図５は、複写機１が行う画像形成処理のフローチャートである。
【００４７】
ステップＳ０１では、ＣＰＵ３１０が、画像読取部１ａで読み取られた画像（読取画像４００：図４）を、ＪＯＢメモリ２００（図２）からバスＢ（図３）を介して取得して、これを画像メモリ３３０（図３）へと記憶させる。
【００４８】
ステップＳ０２では、ＣＰＵ３１０は、操作部１ｉ（図２、図１）より、虫食い画像を印刷する指示がユーザよりされたか否かを判断する。この指示がない場合（ステップＳ０２：ＮＯ）、ステップＳ０８の処理に移り、ＣＰＵ３１０は、画像メモリ３３０にある読込画像４００（図４）をそのままプリンタエンジン部３９０へと送信して、これの画像形成をプリンタエンジン部３９０に実行させる。これにより、プリンタエンジン部３９０が画像形成部１ｃ（図１）等の画像形成機構各部を制御して、読込画像４００の画像形成が行われる。他方、虫食い画像を印刷する指示がユーザよりされた場合（ステップＳ０２：ＹＥＳ）、ＣＰＵ３１０は、ステップＳ０３〜Ｓ０７の処理を実行して、虫食い画像４２０（図４）を画像退避部３４０上に生成してこれの印刷を実行させると共に、先ほどのステップＳ０８の処理をその後に実行して、先に印刷した虫食い画像４２０の基となった読込画像４００の画像形成を併せて実行する。
【００４９】
ステップＳ０３，Ｓ０４，Ｓ０５ａ，Ｓ０５ｂでは、ＣＰＵ３１０は、画像メモリ３３０に記憶された読取画像４００（図４）を画素ごとに処理して、画素ごとに、画像退避部３４０へと順次、虫食い画像４２０（図４左側下段）を形成していく。
【００５０】
ステップＳ０３では、ＣＰＵ３１０は、画像メモリ３３０に記憶された読取画像４００の１つの画素を読み取る。
【００５１】
ステップＳ０４では、ＣＰＵ３１０は、先にステップＳ０４にて読み取った画素の色が、操作部１ｉ（図２、図１）によりユーザが指定された虫食い画像４２０（図４右側↓段）では消去されているべき色（以下、消去色と呼ぶ）であるか否かを判断する。なお、ユーザは、ステップＳ０２で説明した、虫食い画像を印刷する処理を実行させる指示を行う際に、同時に、消去色を指定できるものとする。
【００５２】
ステップＳ０５ｂでは、ステップＳ０３で読み取られた画素の色が消去色ではない場合に（ステップＳ０４：ＮＯ）、ＣＰＵ３１０が、その画素をそのまま、画像退避部３４０におけるその画素に対応する箇所へとコピーする。
【００５３】
逆に、ステップＳ０４で読み込んだ画素の色が消去色であった場合（ステップＳ０４：ＹＥＳ）、ＣＰＵ３１０は、画像退避部３４０のその箇所に読込画像４００の背景色（白色）を書き込む。
【００５４】
ステップＳ０６では、すべての画素について、以上の処理（ステップＳ０３，Ｓ０４，Ｓ０５ａ，Ｓ０５ｂ）が終了したか否かを判断し、終了していなければ（ステップＳ０６：ＮＯ）、ステップＳ０３の処理に戻って、処理が完了していない画素の処理を続ける。
【００５５】
ステップＳ０７では、全ての画素の処理が終了した場合に（ステップＳ０６：ＹＥＳ）、画像退避部３４０に構築された虫食い画像４２０（図４右側下段）を、ＣＰＵ３１０がプリンタエンジン部３９０へと送信して、これの画像形成が画像形成機構で行われるようにする。
【００５６】
ＣＰＵ３１０は、このようにして虫食い画像４２０（図４）の画像形成を実行させた場合に、即座に図５の処理を終了するのではなく、虫食い画像４２０（図４）の画像形成（ステップＳ０７）に加えて、その後に、画像メモリ３３０に記憶されている消去色が消去される前の画像４４０（図４右側上段）の画像形成を実行させる（ステップＳ０８）。画像メモリ３３０よりこの画像４４０の画像データを読み出して、プリンタエンジン部３９０へと、読み出した画像データを送信することにより、ＣＰＵ３１０は画像形成機構に画像４４０の画像形成を実行させる。
【００５７】
こうして、虫食い画像４２０（図４右側下段）の画像形成が実行されるに際して、この虫食い画像４２０の画像形成と共に、元の画像４４０（図４右側上段）の画像形成が同時に自動的に実行されるようにして、ユーザの手間を軽減させることができる。
【００５８】
次に変形例を説明する。
【００５９】
（Ａ）２つの画像４２０，４４０（図４）の印刷の順序は逆でも良い。つまり、ステップＳ０６でＹＥＳが判定された後に、ステップＳ０８、ステップＳ０７の順序で処理が続くものとしてもよい。この場合、ＣＰＵ３１０は、まず、画像メモリ３３０に記憶された読取画像４４０（図４）の画像形成をさせ（ステップＳ０８の処理に相当する処理）、しかる後に、画像退避部３４０に記憶された虫食い画像４２０を読み出して、これの画像形成を実行させる（ステップＳ０７の処理に相当する処理）。こうすれば、たとえば、虫食い画像に先立って、教師用の完全な画像が印刷された記録紙が出力されて、ユーザは速やかに画像読取部１ａで読み取られて印刷される画像の全体を確認することができる。
【００６０】
（Ｂ）ＣＰＵ３１０は、２つの画像４２０，４４０をそれぞれ１枚ずつ印刷させるのではなく、少なくともいずれか一方は複数枚の記録紙へと印刷させるものとしてもよい。たとえば、ＣＰＵ３１０は、ユーザから消去色が指定される際などに、生徒用に用いられることになる虫食い画像４２０の方の印刷枚数を、生徒の数に応じてユーザが入力するユーザ入力に応じて決定して、図５のステップＳ０７では、その枚数の記録紙へと虫食い画像４２０が印刷されるものとしてもよい。このときには、操作パネル１ｉ（図２）でユーザが枚数を指定し、制御部３００（図２）は、指定された枚数だけの印刷をプリンタエンジン部３９０に対して図５のステップＳ０７で指示する。また、虫食い画像４２０の枚数だけでなく、教師用の画像となる他方の画像４４０の印刷枚数も併せて、教師の人数に応じてユーザ入力により指定されて、ステップＳ０８ではその枚数だけ印刷が行われるものとしてもよい。
【００６１】
（Ｃ）読み取り画像４００（図４の左側）は、消去すべき色が複数色含まれていてもよい。ユーザは、操作パネル１ｉ（図２）より、それら複数の色を、消去色として指定することができるものとしてもよい。この場合、図５のステップＳ０４においては、ＣＰＵ３１０は、指定された複数の消去色のいずれかに画素の色が該当することを判定し、画素が、指定された消去色のいずれかと一致する場合には、ステップＳ０５ａの処理を行ってその画素の消去を行い、いずれにも該当しない場合にのみステップＳ０５ｂの処理を実行する。
【００６２】
このように、指定された消去色の全てが消去された虫食い画像（以下、完全消去画像と呼ぶ）が印刷されるだけでなく、指定された消去色のうち一部の色のみが消去された画像（以下、部分消去画像と呼ぶ）も併せて印刷されるものとしてもよい。
【００６３】
ユーザは、操作パネル１ｉ（図２）より、完全消去画像と部分消去画像との印刷枚数を複写機１に指定できるものとしてもよい。
【００６４】
消去色が２色である場合、部分消去画像としては、第一の色の画素のみが消去され第二の色の画素は消去されないパターンのものと、逆に、第一の色の画素は消去されず、第二の色の画素のみが消去されるパターンとの２パターンの部分消去画像があるが、いずれのパターンの部分消去画像も印刷されるようにしてもよい。また、２色よりも更に多くの色が消去色とされることがあるものとしてもよい。この場合についても、上述の場合と同様である。
【００６５】
ユーザは、操作パネル１ｉ（図２）より、上述した消去する色のパターンごとに、各パターンの画像の印刷枚数を複写機１に指定することができるものとしてもよい。
【図面の簡単な説明】
【００６６】
【図１】本発明の一実施形態に係る複写機を示す図である。
【図２】制御装置の構成を示す図である。
【図３】図２に示した制御部の詳細な構成を示す図である。
【図４】虫食い画像を生成する虫食い画像生成処理を説明する説明図である。
【図５】画像形成処理のフローチャートである。
【符号の説明】
【００６７】
Ｂ  バス
Ｐ  記録紙
１  複写機
１ａ  画像読取部
１ｂ  給紙部
１ｃ  画像形成部
１ｄ  定着装置
１ｉ  操作部
１ｔ  搬送経路
１００  制御装置
２００  ＪＯＢメモリ
３００  制御部
３１０  ＣＰＵ
３２０  システムメモリ
３３０  画像メモリ
３４０  画像退避部
３９０  プリンタエンジン部
４００  読込画像
４０１  黒色部分
４０２  赤色部分
４２０  虫食い画像
４２１  黒色部分
４２２  空欄部分
４４０  読込画像
４４１  黒色部分
４４２  赤色部分
【図１】
2008034922.tif 000003
【図２】
2008034922.tif 000004
【図３】
2008034922.tif 000005
【図４】
2008034922.tif 000006
【図５】
2008034922.tif 000007